(57)【要約】      （修正有）【課題】ユーザの好みに合わせた付加サービスを提供する。【解決手段】ユーザ端末機に待ち受け画面として設定されたスキンファイルの特性を分類し、該当分類に属したサービスを提供する方法において、（ｉ）ユーザ端末機がサービス提供サーバーに接続してスキンファイルを要請する段階と、（ｉｉ）前記サービス提供サーバーが要請されたスキンファイルを前記ユーザ端末機に伝送する段階と、（ｉｉｉ）前記ユーザ端末機が伝送されたスキンファイルを待ち受け画面として設定する段階と、（Ａ）ユーザ端末機からサービス実行アプリケーションを駆動する段階と、（Ｂ）前記ユーザ端末機が前記スキンファイルに含まれた識別コードを認識し、該当サービスコードの連動サービスサーバーに接続を要請する段階と、（Ｃ）前記連動サービスのサーバーが前記スキンファイルの分類コードに応じて前記ユーザ端末機に連動サービスを提供する段階と、を含んで行われる。【選択図】図６
2013240035.tif 000002
【特許請求の範囲】
【請求項１】
接続されたユーザ端末機に待ち受け画面として設定されたスキンファイルの特性を分類し、ユーザ端末機に該当分類に属したサービスを提供する方法において、
（ａ）ユーザ端末機がサービス提供サーバーに接続してスキンファイルを要請する段階と、
（ｂ）前記サービス提供サーバーが要請されたスキンファイルを前記ユーザ端末機に伝送する段階と、 
（ｃ）前記ユーザ端末機が伝送されたスキンファイルを待ち受け画面として設定する段階と、
（Ａ）ユーザ端末機からサービス実行アプリケーションを駆動する段階と、
（Ｂ）前記ユーザ端末機が前記スキンファイルに含まれた識別コードを認識し、前記識別コードに含まれたサービスコードを識別し、前記サービスコードに当たる連動サービスサーバーに接続を要請する段階と、
（Ｃ）前記連動サービスのサーバーが前記スキンファイルの分類コードに応じて前記ユーザ端末機に連動サービスを提供する段階と、を含んで行われ、
前記スキンファイルには、
前記サービス提供サーバーが提供する連動サービスの種類を区分するサービスコードと、
前記サービスコード内でスキンファイルのカテゴリ区分を定義した分類コードと、を含んで構成されることを特徴とするモバイル端末機のスキンファイル連動サービス提供方法。
【請求項２】
請求項１において、前記連動サービスは、
前記スキンファイルの特性に応じて特定された閉鎖グループ間にコミュニティを提供する閉鎖グループコミュニケーション提供サービスと、
前記スキンファイルの特性に応じて特定され、分類された動画を提供するための動画提供サービスと、
前記スキンファイルの特性に応じて特定され、分類された音源を提供するための音源提供サービスと、
前記スキンファイル特性に応じて特定された製品の商品情報を提供するための商品情報提供サービスを含んで構成されることを特徴とする請求項１に記載のモバイル端末機のスキンファイル連動サービス提供方法。
【請求項３】
請求項２において、前記ユーザ端末機が提供される前記連動サービスが閉鎖グループコミュニケーション提供サービスである場合、
（ｉ）前記ユーザ端末機のセンサー部を介してユーザ端末機の方向を認識する段階と、
（ｉｉ）前記ユーザ端末機の方向に応じて送信モード又は受信モードのうちいずれか一つを設定する段階と、を含んで実行されることを特徴とする請求項２に記載のモバイル端末機のスキンファイル連動サービス提供方法。
【請求項４】
請求項３において、前記ユーザ端末機の方向は、
重力方向に対する前記ユーザ端末機の配置形態であることを特徴とする請求項３に記載のモバイル端末機のスキンファイル連動サービス提供方法。
【請求項５】
請求項１〜 請求項４のいずれか１項において、 前記分類コードは、
上位カテゴリから下位カテゴリの順に前記スキンファイルが属するカテゴリの固有番号の組み合わせで構成されることを特徴とする請求項１乃至請求項４に記載のモバイル端末機のスキンファイル連動サービス提供方法。 
【請求項６】
サービス提供サーバーからスキンファイルを提供されて待ち受け画面として設定し、スキンファイルの特性を把握して前記サービス提供サーバーに連動サービスを要請するユーザ端末機と、
前記ユーザ端末機に前記スキンファイルを提供し、前記ユーザ端末機のサービス要請に対応して前記スキンファイルの特性に応じて前記ユーザ端末機に連動サービスを提供するサービス提供サーバーと、を含んで構成され、
前記ユーザ端末機は、
前記サービス提供サーバーと通信する通信部と、
前記ユーザ端末機の駆動を制御する制御部と、を含んで構成され、
前記サービス提供サーバーは、
前記ユーザ端末機に前記スキンファイルを提供するスキン提供サーバーと、
前記スキンファイルの特性に応じて前記スキンファイルと連動して前記ユーザ端末機に連動サービスを提供する連動サービスサーバーを含んで構成されることを特徴とするモバイル端末機のスキンファイル連動サービス提供システム。
【請求項７】
請求項６において、前記連動サービスサーバーは、
前記スキンファイルの特性に応じて特定された閉鎖グループ間にコミュニティを提供する閉鎖グループコミュニケーション提供サーバーと、
前記スキンファイルの特性に応じて特定され、分類された動画を提供するための動画提供サーバーと、
前記スキンファイルの特性に応じて特定され、分類された音源を提供するための音源提供サーバーと、
前記スキンファイル特性に応じて特定された製品の商品情報を提供するための商品情報提供サービスを含んで構成されることを特徴とする請求項６に記載のモバイル端末機のスキンファイル連動サービス提供システム。
【請求項８】
請求項７において、前記ユーザ端末機は、
ジャイロセンサーを含んで前記ユーザ端末機の重力方向に対する配置形態を検出するセンサー部を含んで構成されることを特徴とする請求項７に記載のモバイル端末機のスキンファイル連動サービス提供システム。
【請求項９】
請求項７において、前記制御部は、
前記ユーザ端末機が閉鎖グループコミュニケーション提供サービスを受ける場合、前記センサー部の測定値に応じて送信モード又は受信モードのうちいずれか一つのモードを選択することを特徴とする請求項５に記載のモバイル端末機のスキンファイル連動サービス提供システム。
【請求項１０】
請求項９において、前記センサー部は、
加速センサーを更に含んで構成されることを特徴とする請求項６に記載のモバイル端末機のスキンファイル連動サービス提供システム。
【請求項１１】
請求項９において、前記スキンファイルは、
前記サービス提供サーバーが提供する連動サービスの種類を区分するサービスコードと、
前記サービスコード内でスキンファイルのカテゴリ区分を定義した分類コードと、を含んで構成されることを特徴とする請求項６に記載のモバイル端末機のスキンファイル連動サービス提供システム。
【請求項１２】
請求項１１において、前記分類コードは、
上位カテゴリから下位カテゴリ順に前記スキンファイルが属するカテゴリの固有番号の組み合わせで構成されることを特徴とする請求項８に記載のモバイル端末機のスキンファイル連動サービス提供システム。
【発明の詳細な説明】
【技術分野】
【０００１】
本発明は、ユーザがモバイル端末機の待ち受け画面として設置されたスキンファイルを利用し、それに連動されたサービスを提供されるようにするシステム及びその方法に関するものである。
【背景技術】
【０００２】
最近、スマートフォンのモバイル端末機が広く普及されるにつれ、モバイル端末機を利用して基本的な通話機能以外にソーシャルネットワークサービス（Ｓｏｃｉａｌ  Ｎｅｔｗｏｒｋｉｎｇ  Ｓｅｒｖｉｃｅ、以下「ＳＮＳ」と称する）などの多様な付加機能がモバイル端末機を介して実行されている。
【０００３】
一例にＳＮＳを見てみると、ＳＮＳはもはやモバイル端末機ユーザの間で一般的なものになっている。しかし、最近ではＳＮＳの過度な開放性と乱立を補完するために特定の閉鎖的なグループを形成し、それに対してソーシャルネットワークを提供するためのサービスが開発されて提供されている。
図１は、従来の閉鎖グループ間にネットワークを構築してサービスを提供する一例を示す例示図である。
【０００４】
図１に示したように、特許文献１には一つの端末機からグループの形成を望む他方の端末機を招待する形式を介して閉鎖グループを形成し、彼らの間でネットワークサービスを提供する方法が開示されている。
【０００５】
しかし、このような従来技術ではネットワークグループ形成範囲が極めて狭小になり、見知らぬ人々の間でネットワークを構築するＳＮＳの基本的な長所が半減する問題点があった。
【０００６】
一方、特許文献２には、従来参加しているソーシャルネットワークを介してユーザの特性を把握し、把握された特性を利用して拡張されたソーシャルネットワークを構築してそれらの間にネットワークサービスを提供する方法が開示されている。
【０００７】
しかし、このような従来技術ではネットワークグループの形成において、ユーザの特性がサービス提供サーバーの演算によって決定されるため、ユーザの正確な意図が反映されてユーザの特性が決定されることができない問題点があった。
【０００８】
一方、モバイル端末機のユーザは自分が望む種類のスキンファイルをダウンロードして待ち受け画面などに使用している。よって、前記待ち受け画面はユーザの最近及び最大の関心事を反映しているとみなされるが、このような待ち受け画面を活用してユーザが関心を持っている付加サービスを提供する機能を行うことができない問題点があった。
【先行技術文献】
【特許文献】
【０００９】
【特許文献１】韓国公開特許第２０１１−００１６３４９号
【特許文献２】韓国公開特許第２０１１−０００２０６３号
【発明の概要】
【発明が解決しようとする課題】
【００１０】
本発明は上述したような従来の問題点を解決するために案出されたものであり、本発明の目的は、時々刻々変化するユーザの関心事を正確に反映してユーザに適合した付加サービスを提供することである。
【課題を解決するための手段】
【００１１】
上述したような目的を達成するための本発明の特徴によると、本発明は、接続されたユーザ端末機に待ち受け画面として設定されたスキンファイルの特性を分類し、ユーザ端末機に該当分類に属したサービスを提供する方法において、（ａ）ユーザ端末機がサービス提供サーバーに接続してスキンファイルを要請する段階と、（ｂ）前記サービス提供サーバーが要請されたスキンファイルを前記ユーザ端末機に伝送する段階と、（ｃ）前記ユーザ端末機が伝送されたスキンファイルを待ち受け画面として設定する段階と、（Ａ）ユーザ端末機からサービス実行アプリケーションを駆動する段階と、（Ｂ）前記ユーザ端末機が前記スキンファイルに含まれた識別コードを認識し、前記識別コードに含まれたサービスコードを識別し、前記サービスコードに当たる連動サービスサーバーに接続を要請する段階と、（Ｃ）前記連動サービスのサーバーが前記スキンファイルの分類コードに応じて前記ユーザ端末機に連動サービスを提供する段階と、を含んで行われ、前記スキンファイルには、前記サービス提供サーバーが提供する連動サービスの種類を区分するサービスコードと、前記サービスコード内でスキンファイルのカテゴリ区分を定義した分類コードと、を含んで構成される。
【００１２】
ここで、前記連動サービスは、前記スキンファイルの特性に応じて特定の閉鎖グループ間にコミュニティを提供する閉鎖グループコミュニケーション提供サービスと、前記スキンファイルの特性に応じて特定され、分類された動画を提供するための動画提供サービスと、前記スキンファイルの特性に応じて特定され、分類された音源を提供するための音源提供サービスと、前記スキンファイルの特性に応じて特定された製品の商品情報を提供するための商品情報提供サービスと、を含んで構成されてもよい。
【００１３】
そして、前記ユーザ端末機が提供される前記連動サービスが閉鎖グループコミュニケーション提供サービスである場合、（ｉ）前記ユーザ端末機のセンサー部を介してユーザ端末機の方向を認識する段階と、（ｉｉ）前記ユーザ端末機の方向に応じて送信モード又は受信モードのうちいずれか一つを設定する段階と、を含んで実行されてもよい。
また、前記ユーザ端末機の方向は、重力方向に対する前記ユーザ端末機の配置形態であってもよい。
そして、前記分類コードは、上位カテゴリから下位カテゴリの順に前記スキンファイルが属するカテゴリの固有番号の組み合わせで構成されてもよい。
【００１４】
一方、本発明はサービス提供サーバーからスキンファイルを提供されて待ち受け画面として設定し、スキンファイルの特性を把握して前記サービス提供サーバーに連動サービスを要請するユーザ端末機と、前記ユーザ端末機に前記スキンファイルを提供し、前記ユーザ端末機のサービス要請に対応して前記スキンファイルの特性に応じて前記ユーザ端末機に連動サービスを提供するサービス提供サーバーを含んで構成され、前記ユーザ端末機は、前記サービス提供サーバーと通信する通信部と、前記ユーザ端末機の駆動を制御する制御部と、を含んで構成され、前記サービス提供サーバーは、前記ユーザの端末機に前記スキンファイルを提供するスキン提供サーバーと、前記スキンファイルの特性に応じて前記スキンファイルと連動して前記ユーザ端末機に連動サービスを提供する連動サービスサーバーと、を含んで構成されるモバイル端末機のスキンファイル連動サービス提供システムと、を含む。
【００１５】
この際、前記連動サービスサーバーは、前記スキンファイルの特性に応じて特定の閉鎖グループ間にコミュニティを提供する閉鎖グループコミュニケーション提供サーバーと、前記スキンファイルの特性に応じて特定され、分類された動画を提供するための動画提供サーバーと、前記スキンファイルの特性に応じて特定され、分類された音源を提供するための音源提供サーバーと、前記スキンファイルの特性に応じて特定された製品の商品情報を提供するための商品情報提供サーバーと、を含んで構成されてもよい。
そして、前記ユーザ端末機は、ジャイロセンサーを含んで前記ユーザ端末機の重力方向に対する配置形態を検出するセンサー部を含んで構成されてもよい。
【００１６】
また、前記制御部は、前記ユーザ端末機が閉鎖グループコミュニケーション提供サービスを受ける場合、前記センサー部の測定値に応じて送信モード又は受信モードのうちいずれか一つのモードを選択してもよい。
そして、前記センサー部は加速センサーを更に含んで構成されてもよい。
【００１７】
また、前記スキンファイルは、前記サービス提供サーバーが提供する連動サービスの種類を区分するサービスコードと、前記サービスコード内でスキンファイルのカテゴリ区分を定義した分類コードと、を含んで構成されてもよい。
そして、前記分類コードは、上位カテゴリから下位カテゴリの順に前記スキンファイルが属するカテゴリの固有番号の組み合わせで構成されてもよい。
【発明の効果】
【００１８】
上述したような本発明によるモバイル端末機のスキンファイル連動サービス提供システム及びその方法からは、以下のような効果を期待することができる。
【００１９】
即ち、ユーザが現在関心を持っている領域に対する付加サービスをモバイル端末機内で能動的に提案及び提供することができ、ユーザの好みに合わせた付加サービスを提供することができる効果がある。
【００２０】
また、本発明ではＳＮＳの場合、グループ別ネットワーク（ソーシャルネットワーク）の参加及び脱退が容易であるだけでなく、別途の制約なく行われるため開放性がよく、加入した後参加しないネットワークが累積が発生しないため、ユーザの現在の関心事が反映された閉鎖グループのソーシャルネットワークを提供することができる。
【００２１】
このような長所は、運営者及び広告主の立場からも、参加度が極めて低い虚数の会員を排除し、実質的な活動グループ会員を把握することができるため、ソーシャルネットワークの運営にも正確な情報を提供することができる長所がある。
【図面の簡単な説明】
【００２２】
【図１】従来の閉鎖グループ間にネットワークを構築してサービスを提供する一例を示す例示図である。
【図２】本発明によるモバイル端末機のスキンファイル連動サービス提供システムの具体的な実施例の構成を示すブロック図である。
【図３】本発明による閉鎖グループコミュニケーション提供サーバーの構成を示すブロック図である。
【図４】本発明によるスキンファイルに挿入される識別コードの具体的な実施例を示す例示図である。
【図５】本発明によるスキンファイルに挿入される識別コードの具体的な実施例を示す細部例示図である。
【図６】本発明によるモバイル端末機のスキンファイル連動サービス提供方法の一実施例を示すフローチャートである。
【図７】本発明による閉鎖グループコミュニティ提供サービス方法の一実施例を示すフローチャートである。
【図８】本発明によるコミュニケーション提供方法の一例を示す例示図である。
【発明を実施するための形態】
【００２３】
以下、上述したような本発明によるモバイル端末機のスキンファイル連動サービス提供システム及びその方法の具体的な実施例を添付した図面を参照して詳細に説明する。
【００２４】
図２は、本発明によるモバイル端末機のスキンファイル連動サービス提供システムの具体的な実施例の構成を示すグロック図であり、図３は本発明による閉鎖グループコミュニケーション提供サーバーの構成を示すグロック図であり、図４は本発明によるスキンファイルに挿入される識別コードの具体的な実施例を示す例示図であり、図５は本発明によるスキンファイルに挿入される識別コードの具体的な実施例を示す細部例示図である。
【００２５】
まず、図２に示したように、本発明によるモバイル端末機のスキンファイル連動サービス提供システムはサービス提供サーバー１００と多数のユーザ端末機２００Ａ〜Ｃを含んで構成される。
【００２６】
この際、前記サービス提供サーバー１００は、スキンファイルを提供するスキン提供サーバー１１０と前記スキンファイルの特性に応じて前記スキンファイルと連動されたサービスを提供するための多数のサービス提供サーバーを含んで構成される。
【００２７】
この際、前記サービス提供サーバーには多様なコンテンツ及びサービスを提供する連動サービスサーバーが含まれてもよいが、説明の便宜上、本明細書では前記連動サービスサーバーに閉鎖グループコミュニケーション提供サーバー１２０、動画提供サーバー１３０、音源提供サーバー１４０及び商品情報提供サーバー１５０を含んで構成されることを例に挙げて説明する。
この際、図３に示したように、閉鎖グループコミュニケーション提供サーバー１２０はカテゴリ別に区分された多数個のグループサーバーを含んで構成される。
【００２８】
一方、前記スキン提供サーバー１１０は多数のスキンファイルがカテゴリ別に区分されて貯蔵され、前記ユーザ端末機２００の要請に応じて前記スキンファイルを前記ユーザ端末機２００に提供する。
【００２９】
ここで、前記スキンファイルには前記スキンファイルのカテゴリ分類に応じて識別コードが挿入されて貯蔵されるが、それに対しては以下で図４及び図５を説明するにあたって詳細に説明する。
【００３０】
一方、図示したように、本発明によるモバイル端末機のスキンファイル連動サービス提供システムのユーザ端末機２００は、通信部２１０、制御部２２０及びセンサー部２３０を含んで構成される。
【００３１】
前記通信部２１０はサービス提供サーバー１００と通信し、前記ユーザ端末機２００が前記サービス提供サーバー１００が提供するサービスを提供されるようにする部分である。
【００３２】
そして、前記制御部２２０は前記ユーザ端末機２００の全体的な作動を制御する部分で、主には待ち受け画面として設定されたスキンファイルの識別コードを認識して前記サービス提供サーバーに前記識別コードを伝送し、前記スキンファイルに連動されたサービスを提供されるようにする部分である。
【００３３】
即ち、前記制御部２２０は前記ユーザ端末機２００の全体的な作動を制御する部分で、センサー部２３０の測定値を読んで前記ユーザ端末機２００の方法を認識し、それに応じてサービス上の実行モード（送信モード又は受信モード）を設定する役割を果たす。
また、前記センサー部２３０はジャイロセンサー２３２を含んで構成され、前記ジャイロセンサー２３２は前記ユーザ端末機２００のモーションを認識する。
この際、モーションとはユーザ端末機の動きを示すもので、正確にはユーザ端末機が動いて重力方向に対して配置された方向を検出することをいう。
【００３４】
即ち、ユーザ端末機２００が地面に対して縦方向に位置されているのか又は横方向に位置されているのかを判断し、またユーザ端末機２００が地面に対して横になっているのか（ディルプレイ画面が上方又は下方を向いている場合）を判断する。
【００３５】
この際、前記センサー部２３０は加速センサー２３４を更に含んで構成され、前記加速センサー２３４が前記ユーザ端末機２００の移動方向を検出し、前記ジャイロセンサー２３２で測定したユーザ端末機２００の測定値を補完して正確度を上げることができる。
一方、前記スキンファイルには前記スキンファイルの特性及びそれに連動されるサービスの種類を区分した識別コードが挿入される。
よって、前記図４に示したように、前記識別コードはサービスコードと分類コードを含んで構成される。
【００３６】
前記サービスコードは前記スキンファイルに連動されて提供されるサービスの種類を区分したコードで、本実施例では図示したように、閉鎖グループコミュニケーション提供サービス（分類：０１）、動画提供サービス（分類：０２）、音源提供サービス（分類：０３）、商品情報提供サービス（分類：０４）に分類されて区分されてもよい。
【００３７】
即ち、前記スキンファイルが特定ブランドの特定商品であればサービスコード０４が指定されてもよく、前記スキンファイルが映画のポスターであればサービスコード０２が指定されてもよい。
【００３８】
一方、前記分類コードは同じサービスコード内で具体的な下位分類を区分したものであり、例えば、サービスコードが閉鎖グループコミュニケーション提供サービスである場合の分類コードの一例が図４に示されている。
図５に示したように、前記分類コードは大分類から小分類までカテゴリ別に区分されて付与されてもよい。
【００３９】
このような前記分類コードの設定は、一つのサービスコードに対して下位カテゴリに属するグループサービスを提供しながら、前記サービスコードが属した上位カテゴリのグループサービスも共に提供することができる長所がある。
【００４０】
例えば、アイドルグループ少女時代のメンバー「ジェシカ」の写真であるスキンファイルにサービスコード０１が指定されたとすると、前記分類コードは図４で分類されたカテゴリに応じて「００５  ００４  ００１  ００１  ００１」というグループコードが付与される。 
【００４１】
前記分類コードは該当スキンファイルが「文化芸能｜音楽｜邦楽｜少女時代｜ジェシカ」のカテゴリに属するスキンファイルであることを示し、後述するユーザグループ提供サーバー１２０が前記分類コードを認識して該当端末機にジェシカに関するユーザグループサービスを提供することができ、それと共に少女時代に関するユーザグループサービスも共に提供することができる。
【００４２】
一方、前記ユーザグループ提供サーバー１２０は、接続されたユーザ端末機２００から伝送されたスキンファイルの識別コードを認識し、前記スキンファイルのサービスコードに属する連動サービスサーバーに接続させて該当連動サービスを提供する。また、前記該当連動サービスサーバーは、前記識別コード内の分類コードに応じて細部カテゴリのサービスを提供する。
【００４３】
前記連動サービスサーバーとして閉鎖グループコミュニケーション提供サーバー１２０が選択された場合を説明すると、前記閉鎖グループコミュニケーション提供サーバー１２０は多数個のグループサーバー（グループＸサーバー、グループＹサーバー）などを含んで構成される。もちろん、前記グループサーバーは前記閉鎖グループコミュニケーション提供サーバー１２０内に物理的に区分されて含まれてもよく、一つのサーバー内にプログラム上に区分されて含まれてもよい。
【００４４】
この際、前記閉鎖グループコミュニケーション提供サーバー１２０で提供するサービスとは、閉鎖ユーザグループに対するコミュニティ空間の提供、公知事項などのプッシュサービス、該当グループに関する資料の提供など、多様な形のモバイルエコサービスが含まれてもよい。
【００４５】
一方、前記ユーザ端末機２００は通常のスマートモバイル端末機をいい、前記サービス提供サーバ１１０からスキンファイルを提供されて貯蔵する。この際、前記ユーザ端末機２００は前記スキン提供サーバー１１０に接続して前記スキン提供サーバー１１０が提供するスキンファイルのうちユーザの選択によっていずれか一つを伝送されて貯蔵し、前記スキンファイルを端末機の待ち受け画面として適用する。
【００４６】
もちろん、この際前記スキン提供サーバー１１０は該当スキンファイルに提供される連動サービスの種類及び分類コードに対する説明を提示し、ユーザが望むスキンファイルを提供されるようにしてもよい。 
【００４７】
そして、ユーザが前記ユーザ端末機２００からサービスアプリケーションを実行する場合、前記待ち受け画面として貯蔵されたスキンファイルに含まれた識別コードを抽出して前記サービス提供サーバー１００に伝送する。
以下では、本発明によるモバイル端末機のスキンファイル連動サービス提供方法を添付した図面を参照して詳細に説明する。
図６は、本発明によるモバイル端末機のスキンファイル連動サービス提供方法を示すフローチャートである。
【００４８】
図示したように、本発明によるモバイル端末機のスキンファイル連動サービス提供方法は、大きく本発明によるスキンファイルをユーザ端末機に提供して貯蔵されたスキンファイルを待ち受け画面として設定する過程と、前記ユーザ端末機が待ち受け画面として設定したスキンファイルを利用して前記ユーザ端末機に特定連動サービスを提供する過程で区分される。
【００４９】
まず、図６に示したように、スキンファイルをユーザ端末機２００に提供する過程を説明すると、ユーザ端末機２００がサービス提供サーバー１００のスキン提供サーバー１１０に接続してスキンファイルの提供を要請する（Ｓ１１０）。
次に、前記スキン提供サーバー１１０は前記ユーザ端末機２００が望むスキンファイルを検索してユーザ端末機２００に伝送する（Ｓ１２０，Ｓ１３０）。
【００５０】
そして、前記要請したスキンファイルを受信したユーザ端末機２００は前記受信されたスキンファイルを貯蔵し、前記貯蔵されたスキンファイルを待ち受け画面として適用する（Ｓ１５０）。
【００５１】
この際、前記スキンファイルには一般的なイメージファイルデータの他にも識別コードが含まれて構成される。前記識別コードは上述したため、詳細な説明は省略する。
次に、貯蔵されたスキンファイルに連動されたサービスを実行する過程を説明する。
【００５２】
まず、ユーザ端末機２００上でスキンファイル連動サービスを実行させる（Ｓ２１０）。この際、前記スキンファイル連動サービスの実行方法は、一般にサービスを実行するためのアプリケーション（以下、「アプリ」と称する）を実行することで行われてもよいが、前記ユーザ端末機２００のモーションを前記センサー部２３０が感知して実行されてもよい。
【００５３】
前記連動サービスの実効命令が入力されると、前記ユーザ端末機２００の制御部２２０はスキンファイルから識別コードに含まれたサービスコードを認識する（Ｓ２２０）。
【００５４】
次に、前記ユーザ端末機２００は前記サービスコードに当たる連動サービスサーバーに接続を要請する（Ｓ２３０）。この際、前記ユーザ端末機２００は前記識別コードを前記サービス提供サーバー１００に伝送し、前記分類コードに属した細部カテゴリに応じて正確なサービスが提供されるようにする。
【００５５】
以下では、前記ユーザ端末機２００が接続しようとするか受けようとするサービスがそれぞれ閉鎖グループコミュニケーション提供サービス、動画提供サービス、音源提供サービス及び商品情報提供サービスである場合をそれぞれ説明する。
【００５６】
まず、前記ユーザ端末機２００が接続しようとするか受けようとするサービスが閉鎖グループコミュニケーション提供サービスである場合、接続された閉鎖グループコミュニケーション提供サーバー１２０は前記ユーザ端末機から伝送された識別コードを認識する（Ｓ２４０Ａ）。
【００５７】
前記識別コードを認識した前記閉鎖グループコミュニケーション提供サーバー１２０は、前記識別コードに含まれた分類コードから前記スキンファイルが属したグループを把握し、該当グループサーバーに接続させる（Ｓ２５０Ａ）。
【００５８】
次に、ユーザ端末機２００が接続されたグループサーバーは、接続されたユーザ端末機２００に該当部ループのサービスを提供する。この際提供されるグループサービスは、閉鎖グループ所属のユーザ間のコミュニティ及び各種情報の提供及び広告など、多様なサービスが含まれてもよい。
【００５９】
次に、前記ユーザ端末機２００が接続しようとするか受けようとするサービスが動画提供サービスである場合、接続された動画提供サーバー１３０は前記ユーザ端末機２００から伝送された識別コードを認識する（Ｓ２４０Ｂ）。
【００６０】
前記識別コードを認識した前記動画提供サーバー１２０は、前記識別コードに含まれた分類コードから前記スキンファイルが属したグループを把握し、該当グループに対する動画提供サービスを実施する（Ｓ２５０Ｂ）。
【００６１】
もちろん、この場合該当グループに属する動画リストをユーザに提供し、それらのリストに含まれた動画のうちユーザの選択によって提供される動画を選択するようにしてもよい。
【００６２】
そして、前記ユーザ端末機２００が接続しようとするか受けようとするサービスが音源提供サービスである場合、接続された音源提供サーバー１４０は前記ユーザ端末機から伝送された識別コードを認識する（Ｓ２４０Ｃ）。
【００６３】
前記識別コードを認識した前記音源提供サーバー１４０は、前記識別コードに含まれた分類コードから前記スキンファイルが属したグループを把握し、該当グループに対する音源提供サーバーを実施する（Ｓ２５０Ｃ）。
【００６４】
もちろん、この場合該当グループに属する音源リストをユーザに提供し、それらのリストに含まれた音源のうちユーザの選択によって提供される音源を選択するようにしてもよい。
【００６５】
最後に、前記ユーザ端末機２００が接続しようとするか受けようとするサービスが商品情報提供サービスである場合、接続された商品情報提供サーバー１５０は前記ユーザ端末機から伝送された識別コードを認識する（Ｓ２４０Ｄ）。
【００６６】
前記識別コードを認識した前記商品情報提供サーバー１５０は、前記識別コードに含まれた分類コードから前記スキンファイルが属したグループを把握し、該当グループに対するサービスを提供する（Ｓ２５０Ｄ）。
【００６７】
一方、前記ステップ２４０Ａ及びステップ２５０Ａのように、提供サービスが閉鎖グループユーザ間のコミュニティ提供である場合の具体的な実施例を説明する。
【００６８】
まず、図７に示したように、サービス提供サーバー１００が提供するサービスが閉鎖グループユーザ間のコミュニティ提供である場合、ユーザがユーザ端末機２００を介してサービス提供サーバー１００が閉鎖グループユーザに提供する多者間コミュニティサービスに接続する（Ｓ３１０）。
【００６９】
次に、前記制御部２２０はユーザ端末機２００の方向を認識するが、この際、方向とはユーザ端末機２００が横方向に立てられているのか、縦方向に立てられているのか又は横になっているのかを認識することをいう（Ｓ３２０）。
この際、前記ユーザ端末機２００は各方向に応じていずれか一つは受信モードとして、他の一つは送信モードとして既に設定されている。
【００７０】
そして、前記ユーザ端末機２００の方向認識結果（Ｓ３２０）、ユーザ端末機２００の方向が受信モードである場合、前記サービス提供サーバー１００から伝送データを受信して出力する（Ｓ３３０，Ｓ３４０）。
【００７１】
この際、前記伝送データは、好ましくは他の接続ユーザ端末機から伝送される音声信号であるが、他にもテキストデータ、動画データなどコミュニケーションが提供し得る多様なデータの種類を含む。
【００７２】
一方、前記ユーザ端末機２００の方向認識結果（Ｓ３２０）、ユーザ端末機２００の方向が送信モードである場合、前記サービス提供サーバー１００から送信要請信号を伝送する（Ｓ３５０）。
【００７３】
そして、前記送信要請信号を受信したサービス提供サーバー１００は、送信チャネルの状態を判断して前記ユーザ端末機に送信チャネルを割り当て得るのか否かを判別する（Ｓ４２０）。
【００７４】
この際、送信チャネルを割り当てるにあたって、一般には一つの送信チャネルが設定されるが、コミュニケーション方式の特性に応じて制限された複数個の送信チャネルが設定されてもよい。
【００７５】
一方、前記ステップ４２０の判断結果、前記ユーザ端末機２００に送信チャネルを割り当てることができれば前記ユーザ端末機２００のに送信チャネルを割り当て、前記ユーザ端末機２００に送信チャネルが割り当てられたことを知らせる送信モード設定信号を前記ユーザ端末機２００に送信する（Ｓ４３０，Ｓ４４０）。
【００７６】
そして、前記送信モード設定信号を受信した前記ユーザ端末機２００は送信モードが設定されたことをユーザに知らせ、ユーザから送信データを入力される（Ｓ５００，Ｓ５１０）。この際、送信データとは上述した伝送データと同じデータをいう。
【００７７】
次に、前記ユーザ端末機２００は前記送信データを前記サービス提供サーバー１００に伝送し、受信モードに設定された他のユーザ端末機に伝送する（Ｓ５２０）。
そして、前記ユーザ端末機２００は持続的に前記ユーザ端末機２００の方向を認識し、送受信モードの変化を感知する（Ｓ５３０）。
【００７８】
この際、前記送信モードが維持されれば持続的にユーザから送信データを入力されるが、受信モードにモード設定が変更されれば前記サービス提供サーバー１００に送信モード終了信号を送信し、送信チャネルの占有を解除して受信モードにモードを変換する（Ｓ５４０）。
【００７９】
一方、前記ステップ４２０の判断結果、送信モード設定を要請したユーザ端末機２００に送信チャネルを割り当てることができなければ前記ユーザ端末機を送信待機リストに追加し（１番目であれば生成する）、前記送信待機リストの順番に応じて前記送信チャネルを割り当てる（Ｓ6００）。
【００８０】
もちろん、ここでは図示していないが、前記送信待機リストに追加されているが送信チャネルがまだ割り当てられていない場合、ユーザ端末機は受信モードを維持することが好ましい。
【００８１】
よって、図８に示したように、特定ユーザが端末機の方向を送信モード方向にして音声を入力すると、該当音声データはサービス提供サーバー１００を介して受信モードを設定した他のユーザ端末機に伝送され、他のユーザも各自の端末機の方向を変換して送受信モードを変更しながらコミュニケーションサービスを利用することができる。
【産業上の利用可能性】
【００８２】
本発明は、ユーザがモバイル端末機の待ち受け画面として設置されたスキンファイルを利用してそれに連動されたサービスを提供されるようにするシステム及びその方法に関するものであり、本発明によると、ユーザが現在関心を持っている領域に対する付加サービスをモバイル端末機内で能動的に提案及び提供することができ、ユーザの好みに合わせた付加サービスを提供することができる効果がある。
【符号の説明】
【００８３】
１００：サービス提供サーバー       １１０：スキン提供サーバー
１２０：閉鎖グループコミュニケーション提供サーバー
１３０：動画提供サーバー           １４０：音源提供サーバー
１５０：商品情報提供サーバー       ２００：ユーザ端末機
２１０：通信部                     ２２０：制御部
２３０：センサー部                 ２３２：ジャイロセンサー
２３４：加速センサー
【図１】
2013240035.tif 000003
【図２】
2013240035.tif 000004
【図３】
2013240035.tif 000005
【図４】
2013240035.tif 000006
【図５】
2013240035.tif 000007
【図６】
2013240035.tif 000008
【図７】
2013240035.tif 000009
【図８】
2013240035.tif 000010